(57)【要約】【課題】エレベータのカゴの待機階を、遠隔地から変更することができるエレベータ監視装置を提供する。【解決手段】一実施形態に係るエレベータ監視装置は、受信部と、送信部と、を備える。受信部は、ユーザ端末から、エレベータのカゴの待機階の変更を要求する待機階制御要求を受信する。送信部は、待機階制御要求に応じて、カゴの待機階を変更させる待機階制御指令を生成し、カゴを制御するエレベータ制御装置に送信する。【選択図】図１
2016137980.tif 000002
【特許請求の範囲】
【請求項１】
ユーザ端末から、エレベータのカゴの待機階の変更を要求する待機階制御要求を受信する受信部と、
前記待機階制御要求に応じて、前記カゴの前記待機階を変更させる待機階制御指令を生成し、前記カゴを制御するエレベータ制御装置に送信する送信部と、
を備えるエレベータ監視装置。
【請求項２】
地域ごとの気象情報を取得する取得部と、
前記ユーザに、前記エレベータが設置された前記地域の前記気象情報を通知する通知部と、
を更に備える請求項１に記載のエレベータ監視装置。
【請求項３】
前記待機階制御要求は、前記待機階の変更の開始日時及び終了日時の少なくとも一方を含む
請求項１又は請求項２に記載のエレベータ監視装置。
【請求項４】
エレベータのカゴを制御するエレベータ制御装置と、
ユーザ端末から、前記エレベータの前記カゴの待機階の変更を要求する待機階制御要求を受信する受信部と、前記待機階制御要求に応じて、前記カゴの前記待機階を変更させる待機階制御指令を生成し、前記エレベータ制御装置に送信する送信部と、を備えるエレベータ監視装置と、
を備えるエレベータ監視システム。
【請求項５】
前記エレベータ制御装置は、前記待機階を変更した場合、前記エレベータに設けられた表示装置に、前記待機階の変更中であることを表示させる
請求項４に記載のエレベータ監視システム。
【発明の詳細な説明】
【技術分野】
【０００１】
本発明の実施形態は、エレベータ監視装置に関する。
【背景技術】
【０００２】
台風等で大雨が降ると、乗場ドアの隙間やホールから昇降路内に浸水し、エレベータのカゴが冠水することがある。カゴが冠水すると、漏電による停電や故障が発生する恐れがあった。カゴの冠水を防ぐために、従来、保守員が現地に出向いて予防措置を実施する必要があった。
【先行技術文献】
【特許文献】
【０００３】
【特許文献１】特開平８−１５７１６０号公報
【特許文献２】特開２０００−１１８９０１号公報
【発明の概要】
【発明が解決しようとする課題】
【０００４】
エレベータのカゴの待機階を、遠隔地から変更することができるエレベータ監視装置を提供する。
【課題を解決するための手段】
【０００５】
一実施形態に係るエレベータ監視装置は、受信部と、送信部と、を備える。受信部は、ユーザ端末から、エレベータのカゴの待機階の変更を要求する待機階制御要求を受信する。送信部は、待機階制御要求に応じて、カゴの待機階を変更させる待機階制御指令を生成し、カゴを制御するエレベータ制御装置に送信する。
【図面の簡単な説明】
【０００６】
【図１】エレベータ監視システムを示す図。
【図２】エレベータ監視装置を構成するコンピュータを示す図。
【図３】気象情報の送信処理を示すフローチャート。
【図４】待機階の変更処理を示すフローチャート。
【発明を実施するための形態】
【０００７】
以下、本発明の実施形態について図面を参照して説明する。
【０００８】
図１は、エレベータ監視システム（以下、「監視システム」という）を示す図である。図１に示すように、監視システムは、エレベータ監視装置１と、気象情報配信サービス２と、ユーザ端末３と、エレベータ４と、を備える。
【０００９】
エレベータ監視装置１（以下、「監視装置１」という）は、気象情報取得部１１と、気象情報通知部１２と、制御要求受信部１３と、制御指令送信部１４と、を備える。
【００１０】
気象情報取得部１１（以下、「取得部１１」という）は、地域ごとの気象情報を取得する。気象情報には、現在の気象、気象予報、気象注意報、及び気象警報などが含まれる。気象注意報（気象警報）には、大雨、洪水、波浪、及び台風の注意報（警報）が含まれる。
【００１１】
取得部１１は、外部の気象情報配信サービス２から、リアルタイムで、或いは、所定の時間間隔で、気象情報を取得する。気象情報配信サービス２は、公共のサービスであってもよいし、民間のサービスであってもよい。取得部１１は、取得した気象情報を地域毎に記憶する。
【００１２】
気象情報通知部１２（以下、「通知部１２」という）は、エレベータ４のユーザに、対応地域の気象情報を通知する。エレベータ４のユーザには、エレベータ４の管理者及び所有者などが含まれる。対応地域とは、エレベータ４が設置された地域である。通知部１２は、ユーザ毎の対応地域を予め記憶しておく。
【００１３】
より詳細には、通知部１２は、ユーザが有するユーザ端末３に気象情報を送信する。ユーザ端末３は、例えば、携帯電話やスマートフォンである。通知部１２は、ユーザ端末３にメールで気象情報を送信してもよいし、ユーザ端末３にインストールされた専用のアプリケーションを介して気象情報を送信してもよい。
【００１４】
また、通知部１２は、対応地域の新たな気象情報を取得部１１が取得するたびにユーザ端末３に気象情報を送信してもよいし、所定の時間間隔や所定の時刻に気象情報を送信してもよい。
【００１５】
さらに、通知部１２は、気象情報とともに、冠水に対する注意を促すメッセージを送信してもよい。例えば、「待機階を変更してください」というメッセージを送信することが考えられる。
【００１６】
またさらに、通知部１２は、取得部１１が取得した対応地域の気象情報のうち、一部の気象情報のみを通知してもよい。例えば、カゴが冠水する可能性がある大雨、洪水、及び台風の注意報や警報のみを通知することが考えられる。
【００１７】
制御要求受信部１３（以下、「受信部１３」という）は、ユーザ端末３から待機階制御要求（以下、「制御要求」という）を受信する。制御要求とは、ユーザがエレベータ４のカゴの待機階の変更を要求する信号である。ユーザは、ユーザ端末３にインストールされた専用のアプリケーションを操作することにより、制御要求を送信することができる。
【００１８】
制御要求は、変更後の待機階を含む。変更後の待機階は、２階などが規定値として設定されていてもよいし、ユーザがアプリケーションを操作することにより設定可能であってもよい。
【００１９】
また、制御要求は、待機階を変更する開始日時及び終了日時の少なくとも一方を含んでもよい。開始日時や終了日時は、ユーザがアプリケーションを操作することにより設定可能である。開始日時や終了日時を設定することにより、ユーザは、待機階の変更を予約することができる。ユーザが予め待機階の変更を予約しておくことにより、待機階の変更のし忘れによる冠水を防止することができる。
【００２０】
さらに、制御要求は、待機階変更時の制御方法を含んでもよい。制御方法は、ユーザがアプリケーションを操作することにより設定可能である。制御方法として、例えば、変更後の待機階でカゴが停止する制御や、変更後の待機階より下の階にカゴが移動しない制御が考えられる。
【００２１】
制御指令送信部１４（以下、「送信部１４」という）は、受信部１３が受信した制御要求に応じて、待機階制御指令（以下、「制御指令」という）を生成し、エレベータ４のエレベータ制御装置４１に送信する。制御指令とは、ユーザが制御要求によって要求した制御を、エレベータ４に実行させる信号である。
【００２２】
ここで、エレベータ４について説明する。エレベータ４は、少なくとも１つのカゴ（図示省略）と、カゴの運行などを制御するエレベータ制御装置４１と、カゴ内に設けられたカゴ内表示装置４２と、乗場に設けられた乗場表示装置４３と、を備える。エレベータ制御装置４１は、例えば、制御盤である。
【００２３】
エレベータ制御装置４１は、送信部１４から制御指令を受信すると、制御指令に従ってカゴを運行する。すなわち、エレベータ制御装置４１は、カゴの待機階を、制御指令で設定された待機階に変更し、変更後の待機階よりもカゴが下の階へ移動しないように制御する。
【００２４】
また、エレベータ制御装置４１は、待機階の変更中、カゴ内表示装置４２及び乗場表示装置４３に、制御中信号を送信する。制御中信号とは、カゴ内表示装置４２及び乗場表示装置４３に、待機階の変更中であることを表示させる信号である。カゴ内表示装置４２及び乗場表示装置４３は、「待機階を変更中」などのメッセージを表示してもよいし、待機階を変更中であることを示すランプなどを点灯させてもよい。これにより、エレベータ４のカゴの乗客に、待機階を変更中であることを周知することができる。
【００２５】
以上説明した監視装置１は、コンピュータ１００により実現される。コンピュータ１００は、例えば、複数のエレベータを集中的に監視するエレベータ監視センタに設けられたサーバである。
【００２６】
ここで、図２は、コンピュータ１００の一例を示す図である。図２に示すように、コンピュータ１００は、ＣＰＵ（中央演算装置）１０１と、入力装置１０２と、表示装置１０３と、通信装置１０４と、記憶装置１０５と、とを備え、これらがバス１０６により相互に接続されている。
【００２７】
ＣＰＵ１０１は、コンピュータ１００の制御装置及び演算装置である。ＣＰＵ１０１は、バス１０６を介して接続された各装置（例えば、入力装置１０２、通信装置１０４、記憶装置１０５）から入力されたデータやプログラムに基づいて演算処理を行い、演算結果や制御信号を、バス１０６を介して接続された各装置（例えば、表示装置１０３、通信装置１０４、記憶装置１０５）に出力する。
【００２８】
具体的には、ＣＰＵ１０１は、コンピュータ１００のＯＳ（オペレーティングシステム）や、エレベータ監視プログラム（以下、「監視プログラム」という）などを実行し、コンピュータ１００を構成する各装置を制御する。監視プログラムとは、コンピュータ１００に、監視装置１の上述の各機能を実現させるプログラムである。ＣＰＵ１０１が監視プログラムを実行することにより、コンピュータ１００が監視装置１として機能する。
【００２９】
入力装置１０２は、コンピュータ１００に情報を入力するための装置である。入力装置１０２は、例えば、キーボード、マウス、及びタッチパネルであるが、これに限られない。
【００３０】
表示装置１０３は、画像や映像を表示するための装置である。表示装置１０３は、例えば、ＬＣＤ（液晶ディスプレイ）、ＣＲＴ（ブラウン管）、及びＰＤＰ（プラズマディスプレイ）であるが、これに限られない。
【００３１】
通信装置１０４は、コンピュータ１００が外部装置と無線又は有線で通信するための装置である。通信装置１０４は、例えば、モデム、ハブ、及びルータであるが、これに限られない。監視装置１は、通信装置１０４を介して、気象情報配信サービス２、ユーザ端末３、及びエレベータ制御装置４１と通信し、気象情報、制御要求、及び制御指令の送受信を行う。
【００３２】
記憶装置１０５は、コンピュータ１００のＯＳや、監視プログラム、監視プログラムの実行に必要なデータ、及び監視プログラムの実行により生成されたデータなどを記憶する記憶媒体である。記憶装置１０５には、主記憶装置と外部記憶装置とが含まれる。主記憶装置は、例えば、ＲＡＭ、ＤＲＡＭ、ＳＲＡＭであるが、これに限られない。また、外部記憶装置は、ハードディスク、光ディスク、フラッシュメモリ、及び磁気テープであるが、これに限られない。取得部１１が取得した気象情報や対応地域などの情報は、記憶装置１０５に記憶される。
【００３３】
なお、コンピュータ１００は、ＣＰＵ１０１、入力装置１０２、表示装置１０３、通信装置１０４、及び記憶装置１０５を、１つ又は複数備えてもよいし、プリンタやスキャナなどの周辺機器を接続されていてもよい。
【００３４】
また、監視装置１は、単一のコンピュータ１００により構成されてもよいし、相互に接続された複数のコンピュータ１００からなるシステムとして構成されてもよい。
【００３５】
さらに、監視プログラムは、コンピュータ１００の記憶装置１０５に予め記憶されていてもよいし、ＣＤ−ＲＯＭなどの記憶媒体に記憶されていてもよいし、インターネット上にアップロードされていてもよい。いずれの場合も、監視プログラムをコンピュータ１００にインストールして実行することにより、監視装置１を構成することができる。
【００３６】
次に、監視装置１の動作について、図３及び図４を参照して具体的に説明する。図３は、監視装置１による気象情報の通知処理の一例を示すフローチャートである。以下では、通知部１２は、取得部１１が大雨情報（大雨警報及び大雨注意報）を取得した場合のみ、ユーザに通知するものとする。
【００３７】
ステップＳ１において、取得部１１は、所定時間間隔で、気象情報配信サービス２から気象情報を取得する。
【００３８】
ステップＳ２において、通知部１２は、取得部１１が大雨情報を取得したか判定する。大雨情報が取得されていない場合（ステップＳ２のＮＯ）、処理はステップＳ１に戻る。一方、大雨情報が取得されている場合（ステップＳ１のＹＥＳ）、処理はステップＳ３に進む。
【００３９】
ステップＳ３において、通知部１２は、対応地域を記憶された複数のユーザの中から、大雨情報が取得された地域が対応地域であるユーザを抽出する。
【００４０】
ステップＳ４において、通知部１２は、抽出したユーザのユーザ端末３に、大雨情報をメールで送信する。メールを送信されたユーザは、メールを確認することにより、エレベータ４が冠水する可能性を把握し、ユーザ端末３を介して制御要求を送信することができる。その後、処理はステップＳ１に戻る。
【００４１】
図４は、監視装置１による待機階変更処理の一例を示すフローチャートである。以下では、ユーザは、制御要求により、待機階の変更を終了する終了日時を指定するものとする。
【００４２】
ステップＳ５において、受信部１３は、所定の時間間隔で、ユーザ端末３から制御要求を受信したか判定する。制御要求を受信した場合（ステップＳ５のＹＥＳ）、処理はステップＳ６に進む。
【００４３】
ステップＳ６において、送信部１４は、制御要求に応じた制御指令を生成する。送信部１４は、例えば、制御要求を送信したユーザのエレベータ４のエレベータ制御装置４１の種類に応じた制御指令を生成する。エレベータ４が複数ある場合、送信部１４は、各エレベータ４のエレベータ制御装置４１ごとに制御指令を生成してもよい。
【００４４】
ステップＳ７において、送信部１４は、制御指令をエレベータ４のエレベータ制御部４１に送信する。制御指令は、エレベータ制御部４に受信される。
【００４５】
ステップＳ８において、エレベータ制御部４は、受信した制御指令に応じて、待機階を変更する。以降、終了日時まで、待機階の変更は継続され、変更後の待機階より下の階にカゴが移動しなくなる。
【００４６】
ステップＳ９において、エレベータ制御部４は、カゴ内表示装置４２及び乗場表示装置４３に制御中信号を送信する。なお、制御中信号は、カゴ内表示装置４２及び乗場表示装置４３のいずれかのみに送信されてもよいし、送信されなくてもよい。
【００４７】
ステップＳ１０において、カゴ内表示装置４２及び乗場表示装置４３は、制御中、すなわち、待機階を変更中であることを表示する。これにより、カゴの乗客に制御中であることを周知することができる。
【００４８】
ステップＳ１１において、エレベータ制御部４は、所定の時間間隔で、制御指令により指定された制御の終了日時になったか判定する。終了日時になった場合（ステップＳ１１のＹＥＳ）、処理はステップＳ１２に進む。
【００４９】
ステップＳ１２において、エレベータ制御部４は、待機階の変更及び制御中であることの表示を終了する。すなわち、エレベータ制御部４は、カゴを通常の動作モードで運行させる。その後、処理はステップＳ５に戻る。
【００５０】
なお、待機階の変更は、上記のように、予め設定された終了日時に終了してもよいし、ユーザからの要求に応じて終了してもよい。例えば、ユーザがユーザ端末３から待機階の変更を終了する制御要求を送信することが考えられる。
【００５１】
また、予め設定された終了日時の直前に、監視装置１がユーザ端末３に、待機階の変更を終了するか延長するか確認するメールを送信してもよい。ユーザは、終了又は延長を指定する制御要求をユーザ端末３から送信すればよい。
【００５２】
以上説明した通り、本実施形態に係る監視装置１は、ユーザ端末３から受信した制御要求に応じて、エレベータ４のカゴの待機階を変更することができる。したがって、ユーザは、エレベータ４に行くことなく、遠隔地から冠水の予防措置を講ずることができる。
【００５３】
また、監視装置１は、ユーザに対象地域の気象情報を通知する。これにより、ユーザは、対象地域の気象情報を確認した上で制御要求を送信できるため、冠水の正確な予防が可能となる。
【００５４】
さらに、待機階を変更する予防措置によって、冠水による被害を抑制できるため、エレベータ４の修理や部品の交換を減らすことができる。これにより、エレベータ４の維持コストを抑制することができる。
【００５５】
なお、本発明は上記各実施形態そのままに限定されるものではなく、実施段階ではその要旨を逸脱しない範囲で構成要素を変形して具体化できる。また、上記各実施形態に開示されている複数の構成要素を適宜組み合わせることによって種々の発明を形成できる。また例えば、各実施形態に示される全構成要素からいくつかの構成要素を削除した構成も考えられる。さらに、異なる実施形態に記載した構成要素を適宜組み合わせてもよい。
【符号の説明】
【００５６】
１：エレベータ監視装置、２：気象情報配信サービス、３：ユーザ端末、４：エレベータ、１１：気象情報取得部、１２：気象情報通知部、１３：制御要求受信部、１４：制御指令送信部、４１：エレベータ制御装置、４２：カゴ内表示装置、４３：乗場表示装置
【図１】
2016137980.tif 000003
【図２】
2016137980.tif 000004
【図３】
2016137980.tif 000005
【図４】
2016137980.tif 000006
【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
ユーザ端末から、エレベータのカゴの待機階の変更を要求する待機階制御要求と、前記変更の終了又は延長を指定する制御要求と、を受信する受信部と、
前記待機階制御要求に応じて、前記カゴの前記待機階を変更させる待機階制御指令を生成し、前記カゴを制御するエレベータ制御装置に送信する送信部と、
を備えるエレベータ監視装置。
【請求項２】
地域ごとの気象情報を取得する取得部と、
前記ユーザに、前記エレベータが設置された前記地域の前記気象情報を通知する通知部と、
を更に備える請求項１に記載のエレベータ監視装置。
【請求項３】
前記待機階制御要求は、前記待機階の変更の開始日時及び終了日時の少なくとも一方を含む
請求項１又は請求項２に記載のエレベータ監視装置。
【請求項４】
エレベータのカゴを制御するエレベータ制御装置と、
ユーザ端末から、前記エレベータの前記カゴの待機階の変更を要求する待機階制御要求と、前記変更の終了又は延長を指定する制御要求と、を受信する受信部と、前記待機階制御要求に応じて、前記カゴの前記待機階を変更させる待機階制御指令を生成し、前記エレベータ制御装置に送信する送信部と、を備えるエレベータ監視装置と、
を備えるエレベータ監視システム。
【請求項５】
前記エレベータ制御装置は、前記待機階を変更した場合、前記エレベータに設けられた表示装置に、前記待機階の変更中であることを表示させる
請求項４に記載のエレベータ監視システム。